(57)【要約】【課題】プロジェクタの調整作業にかかる時間を短縮する。【解決手段】投影装置１は、画像を投影する投影装置であって、画像を投影する投影部１２と、投影装置１の設置位置に過去に設置されていた他の投影装置に設定されていた投影条件の設定データを取得する取得部１６１と、設定データに含まれている他の投影装置を識別するための装置識別情報により特定した他の投影装置の特性と投影装置１の特性との差分に基づいて生成した設定用データにより投影条件を設定する設定部１６３と、を有する。【選択図】図２
2019148652.tif 000002
【特許請求の範囲】
【請求項１】
画像を投影する投影装置であって、
前記画像を投影する投影手段と、
前記投影装置の設置位置に過去に設置されていた他の投影装置に設定されていた投影条件の設定データを取得する取得手段と、
前記設定データに基づいて前記投影装置の投影条件を設定する設定手段と、
を有することを特徴とする投影装置。
【請求項２】
前記設定データは、前記他の投影装置を識別するための装置識別情報を含み、
前記設定手段は、前記設定データに含まれている前記装置識別情報により特定した前記他の投影装置の特性と前記投影装置の特性との差分に基づいて前記投影装置の投影条件を設定する設定用データを生成することを特徴とする、
請求項１に記載の投影装置。
【請求項３】
前記設定手段は、前記設定データに含まれている前記他の投影装置における第１設定値を前記他の投影装置の特性と前記投影装置の特性との差分に基づいて変換することにより、前記第１設定値と異なる第２設定値を含む前記設定用データを生成することを特徴とする、
請求項２に記載の投影装置。
【請求項４】
前記設定データは、前記設置位置から被投影面までの距離を示す距離データを含み、
前記設定手段は、前記距離データに基づいて、前記投影装置のフォーカスを調整するための設定用データを生成することを特徴とする、
請求項１に記載の投影装置。
【請求項５】
前記設定手段は、前記投影条件を設定した場合に、前記投影装置の投影条件を設定したことを示す設定済情報を記憶手段に記憶させることを特徴とする、
請求項１から４のいずれか一項に記載の投影装置。
【請求項６】
前記設定手段は、前記記憶手段に前記設定済情報が記憶されていない場合に前記投影装置の前記投影条件を設定することを特徴とする、
請求項５に記載の投影装置。
【請求項７】
前記設定手段は、前記記憶手段に前記投影装置の前記設定済情報が記憶されている場合に、前記投影条件を更新するか否かを確認するための画面を表示手段に表示させることを特徴とする、
請求項５又は６に記載の投影装置。
【請求項８】
画像を投影する投影装置であって、
前記画像を投影する投影手段と、
前記投影装置の設置位置に過去に設置されていた他の投影装置に設定されていた投影条件の設定データを取得する取得手段と、
前記設定データに基づいて前記投影装置の投影条件を設定する設定手段と、
を有することを特徴とする投影装置。
【請求項９】
前記投影装置の設置位置を特定する位置特定手段と、
前記位置特定手段が特定した前記設置位置を示す位置情報を投影管理装置に送信する送信手段と、
をさらに有し、
前記取得手段は、前記位置情報を前記投影管理装置に送信した後に前記設定データを取得することを特徴とする、
請求項８に記載の投影装置。
【請求項１０】
画像を投影する投影装置が有するプロセッサを、
画像を投影する投影手段、
前記投影装置の設置位置に過去に設置されていた他の投影装置に設定されていた投影条件の設定データを取得する取得手段、及び
前記設定データに基づいて前記投影装置の投影条件を設定する設定手段として機能させるためのプログラム。
【請求項１１】
画像を投影する投影装置が有するプロセッサを、
画像を投影する投影手段、
前記投影装置の設置位置に過去に設置されていた他の投影装置に設定されていた投影条件の設定データを取得する取得手段、及び
前記設定データに基づいて前記投影装置の投影条件を設定する設定手段として機能させるためのプログラム。
【請求項１２】
投影装置の設置位置に関連付けて、前記設置位置に過去に設置されていた第１投影装置に設定されていた設定データを記憶する記憶手段と、
新たに設置された第２投影装置の前記設置位置を示す位置情報を取得する情報取得手段と、
前記情報取得手段が取得した前記位置情報が示す前記設置位置に関連付けて前記記憶手段に記憶された前記設定データに基づいて、前記第２投影装置の投影条件を設定するための設定用データを生成する生成手段と、
前記生成手段が生成した前記設定用データを前記第２投影装置に送信する送信手段と、
を有することを特徴とする投影管理装置。
【請求項１３】
前記記憶手段は、前記第１投影装置及び前記第２投影装置の特性を示す特性情報を記憶し、
前記生成手段は、前記特性情報が示す前記第１投影装置の特性と前記第２投影装置の特性との差分に基づいて前記設定データを変換することにより前記設定用データを生成することを特徴とする請求項１２に記載の投影管理装置。
【請求項１４】
前記生成手段は、前記設定データに含まれている前記第１投影装置における第１設定値を、前記第１投影装置の特性と前記第２投影装置の特性との差分に基づいて変換することにより、前記第１設定値と異なる第２設定値を含む前記設定用データを生成することを特徴とする、
請求項１２に記載の投影管理装置。
【請求項１５】
前記設定データは、前記設置位置から被投影面までの距離を示す距離データを含み、
前記生成手段は、前記距離データに基づいて、前記第２投影装置のフォーカスを調整するための前記設定用データを生成することを特徴とする
請求項１２に記載の投影管理装置。
【請求項１６】
前記送信手段は、前記設定用データを前記第２投影装置に送信した場合に、前記第２投影装置の前記投影条件を送信したことを示す設定済情報を記憶手段に記憶させることを特徴とする、
請求項１２から１５のいずれか一項に記載の投影管理装置。
【請求項１７】
前記送信手段は、前記記憶手段に前記第２投影装置の前記設定済情報が記憶されていない場合に前記投影条件を送信することを特徴とする、
請求項１６に記載の投影管理装置。
【請求項１８】
前記送信手段は、前記記憶手段に前記第２投影装置の前記設定済情報が記憶されている場合に、前記投影条件を更新するか否かを確認するための画面を送信することを特徴とする、
請求項１６又は１７に記載の投影管理装置。
【請求項１９】
コンピュータが実行する、
投影装置の設置位置に関連付けて、前記設置位置に過去に設置されていた第１投影装置に設定されていた設定データを記憶手段に記憶させるステップと、
新たに設置された第２投影装置から前記設置位置を示す位置情報を取得するステップと、
取得した前記位置情報が示す前記設置位置に関連付けて前記記憶手段に記憶された前記設定データに基づいて、前記第２投影装置の投影条件を設定するための設定用データを生成するステップと、
生成した前記設定用データを前記第２投影装置に送信するステップと、
を有することを特徴とする投影管理方法。
【請求項２０】
コンピュータを、
投影装置の設置位置に関連付けて、前記設置位置に過去に設置されていた第１投影装置に設定されていた設定データを記憶手段に記憶させる記憶制御手段、
新たに設置された第２投影装置から前記設置位置を示す位置情報を取得する情報取得手段、
前記情報取得手段が取得した前記位置情報が示す前記設置位置に関連付けて前記記憶手段に記憶された前記設定データに基づいて、前記第２投影装置の投影条件を設定するための設定用データを生成する生成手段、及び
前記生成手段が生成した前記設定用データを前記第２投影装置に送信する送信手段として機能させるためのプログラム。
【発明の詳細な説明】
【技術分野】
【０００１】
本発明は、投影装置、投影管理装置、及び投影管理方法に関する。
【背景技術】
【０００２】
画像を投影するプロジェクタは、プロジェクタの設置時に、投影した投影画像の歪みを補正する台形補正やフォーカスを合わせる調整作業が必要である。特許文献１には、投影装置の設置時に、フォーカス調整を行うための調整用画像を投影し、投影した調整用画像を撮像した撮像画像に基づいてフォーカス調整を行うプロジェクタが開示されている。
【先行技術文献】
【特許文献】
【０００３】
【特許文献１】特開２０１０−１３０２２５号公報
【発明の概要】
【発明が解決しようとする課題】
【０００４】
会議室などに設置されたプロジェクタが新しいプロジェクタに交換される場合、設置されていたプロジェクタの機種とは異なる機種のプロジェクタが設置されることが多い。設置されていたプロジェクタの機種と、新しく設置されるプロジェクタの機種とが異なる場合、ユーザは、新しく設置されるプロジェクタを調整する作業に時間がかかっていた。
【０００５】
そこで、本発明はこれらの点に鑑みてなされたものであり、プロジェクタの調整作業にかかる時間を短縮することができる投影装置、投影管理装置、及び投影管理方法を提供することを目的とする。
【課題を解決するための手段】
【０００６】
本発明の第１の態様においては、画像を投影する投影装置であって、前記画像を投影する投影手段と、前記投影装置の設置位置に過去に設置されていた他の投影装置に設定されていた投影条件の設定データを取得する取得手段と、前記設定データに基づいて前記投影装置の投影条件を設定する設定手段と、を有することを特徴とする投影装置を提供する。
【０００７】
本発明の第２の態様においては、画像を投影する投影装置であって、前記画像を投影する投影手段と、前記投影装置の設置位置に過去に設置されていた他の投影装置に設定されていた投影条件の設定データを取得する取得手段と、前記設定データに基づいて投影条件を設定する設定手段と、を有することを特徴とする投影装置を提供する。
【０００８】
本発明の第３の態様においては、画像を投影する投影装置が有するプロセッサを、画像を投影する投影手段、前記投影装置の設置位置に過去に設置されていた他の投影装置に設定されていた投影条件の設定データを取得する取得手段、及び前記設定データに基づいて前記投影装置の投影条件を設定する設定手段として機能させるためのプログラムを提供する。
【０００９】
本発明の第４の態様においては、画像を投影する投影装置が有するプロセッサを、画像を投影する投影手段、前記投影装置の設置位置に過去に設置されていた他の投影装置に設定されていた投影条件の設定データを取得する取得手段、及び前記設定データに基づいて前記投影装置の投影条件を設定する設定手段として機能させるためのプログラムを提供する。
【００１０】
本発明の第５の態様においては、投影装置の設置位置に関連付けて、前記設置位置に過去に設置されていた第１投影装置に設定されていた設定データを記憶する記憶手段と、新たに設置された第２投影装置から前記設置位置を示す位置情報を取得する情報取得手段と、前記情報取得手段が取得した前記位置情報が示す前記設置位置に関連付けて前記記憶手段に記憶された前記設定データに基づいて、前記第２投影装置の投影条件を設定するための設定用データを生成する生成手段と、前記生成手段が生成した前記設定用データを前記第２投影装置に送信する送信手段と、を有することを特徴とする投影管理装置を提供する。
【００１１】
本発明の第６の態様においては、コンピュータが実行する、投影装置の設置位置に関連付けて、前記設置位置に過去に設置されていた第１投影装置に設定されていた設定データを記憶手段に記憶させるステップと、新たに設置された第２投影装置から前記設置位置を示す位置情報を取得するステップと、取得した前記位置情報が示す前記設置位置に関連付けて前記記憶手段に記憶された前記設定データに基づいて、前記第２投影装置の投影条件を設定するための設定用データを生成するステップと、生成した前記設定用データを前記第２投影装置に送信するステップと、を有することを特徴とする投影管理方法を提供する。
【００１２】
本発明の第７の態様においては、コンピュータを、投影装置の設置位置に関連付けて、前記設置位置に過去に設置されていた第１投影装置に設定されていた設定データを記憶手段に記憶させる記憶制御手段、新たに設置された第２投影装置から前記設置位置を示す位置情報を取得する情報取得手段、前記情報取得手段が取得した前記位置情報が示す前記設置位置に関連付けて前記記憶手段に記憶された前記設定データに基づいて、前記第２投影装置の投影条件を設定するための設定用データを生成する生成手段、及び前記生成手段が生成した前記設定用データを前記第２投影装置に送信する送信手段として機能させるためのプログラムを提供する。
【発明の効果】
【００１３】
本発明によれば、プロジェクタの調整作業にかかる時間を短縮できるという効果を奏する。
【図面の簡単な説明】
【００１４】
【図１】投影システムの概要を説明するための図である。
【図２】投影システムの機能構成を示す図である。
【図３】投影装置の記憶部に記憶されるデータの一例を示す図である。
【図４】投影管理装置の記憶部に記憶されるデータの一例を示す図である。
【図５】設定データとセッティングデータとの関係を説明するための図である。
【図６】投影装置が実行する処理のフローチャートである。
【図７】第２の実施形態に係る投影管理装置の機能構成を示す図である。
【図８】投影管理装置が実行する処理のフローチャートである。
【図９】手動調整時におけるデータ更新処理のフローチャートである。
【発明を実施するための形態】
【００１５】
＜第１の実施形態＞
［投影システムＳの概要］
まず、第１の実施形態に係る投影システムＳの概要を説明する。図１は、投影システムＳの概要を説明するための図である。投影システムＳは、投影装置１、投影管理装置２、及びルータ３を備える。投影管理装置２は、社内のＬＡＮ（Local Area Network）に接続された接続機器の管理制御を行うサーバである。ルータ３は、ＬＡＮに接続されたルータである。会議室Ｒは、投影装置１が設置された部屋である。スクリーンＡは、会議室Ｒの壁に取り付けられ、投影装置１が画像を投影するスクリーンである。投影装置１は、スクリーンＡに画像を投影するように会議室Ｒに設置されたプロジェクタである。
【００１６】
投影装置１とルータ３とは、ＬＡＮケーブル６０を介して接続されている。ルータ３と投影管理装置２とは、ＬＡＮケーブル６４を介して接続されている。投影装置１と投影管理装置２とは、ルータ３及びＬＡＮケーブル６０及びＬＡＮケーブル６４を介して接続されている。なお、ルータ３は、ＬＡＮケーブル６２を介して他の機器と接続されていてもよい。なお、投影システムＳは、ルータ３を備えず、投影装置１と投影管理装置２とが直接接続されていてもよい。
【００１７】
会議室Ｒに新たに設置された投影装置１（第２投影装置）は、ＬＡＮケーブル６０、ＬＡＮケーブル６４及びルータ３を介して投影管理装置２と接続される。投影装置１は、投影管理装置２と接続されると、会議室Ｒに過去に設置されていた、投影装置１と異なる投影装置（第１投影装置）に設定されていた投影条件の設定データを投影管理装置２から取得する。投影装置１は、取得した設定データに基づいて、会議室Ｒにおいて投影装置１が画像を投影する場合の投影条件を設定するための設定用データを生成する。投影装置１は、設定用データに基づいて投影装置１が画像を投影する場合の投影条件を設定する。
【００１８】
このように、新たに設置された投影装置１は、過去に設置されていた投影装置に設定されていた投影条件の設定データに基づいて、投影装置１の設定用データを生成し、設定用データに基づいて投影装置１の投影条件を設定する。このようにすることで、投影装置１は、会議室Ｒに設置された場合に、投影条件を調整する調整作業にかかる時間を短縮できる。
【００１９】
［投影システムＳの機能構成］
図２は、投影システムＳの機能構成を示す図である。投影管理装置２は、通信部２１と、記憶部２２と、制御部２３とを備える。通信部２１は、外部機器と情報を送受信する通信モジュールである。通信部２１は、ルータ３を介して、制御部２３が出力する制御信号を投影装置１に送信する。また、通信部２１は、投影装置１が送信した信号を受信し、受信した信号を制御部２３に入力する。通信部２１は、例えばＬＡＮコントローラを有する。
【００２０】
記憶部２２は、ＲＯＭ（Read Only Memory）及びＲＡＭ（Random Access Memory）等を含む記憶媒体である。記憶部２２は、制御部２３が実行するプログラムを記憶する。記憶部２２は、投影装置の設置位置に関連付けて、設置位置に過去に設置されていた投影装置に設定されていた設定データを記憶する。記憶部２２に記憶される設定データの詳細は後述する。
【００２１】
制御部２３は、例えばＣＰＵ（Central Processing Unit）である。制御部２３は、通信部２１を介して投影装置１から設定データの要求を受け付けると、記憶部２２に記憶された過去に設置されていた投影装置の設定データを投影装置１に送信する。
以下、投影装置１の機能構成の詳細を説明する。
【００２２】
［投影装置１の機能構成］
投影装置１は、通信部１１と、投影部１２と、モータドライバ１３と、方位センサ１４と、記憶部１５と、制御部１６と、光源部１７とを備える。通信部１１は、外部機器と情報を送受信する通信モジュールである。通信部１１は、ルータ３を介して制御部１６からの信号を投影管理装置２に送信する。また、通信部１１は、投影管理装置２からの信号を制御部１６に送信する。通信部１１は、例えばＬＡＮコントローラである。
【００２３】
投影部１２は、画像を投影する投影手段として機能する。投影部１２は、パネル部１２０、シフトモータ１２１、フォーカスモータ１２２及びズームモータ１２３を含む。シフトモータ１２１、フォーカスモータ１２２及びズームモータ１２３は、不図示のレンズを移動させるためのモータである。
【００２４】
パネル部１２０は、例えば複数の液晶パネル、色分離素子及び偏光分離素子により構成された色分解光学系を含む。液晶パネルは、例えば透過型液晶パネル又は反射型液晶パネルである。パネル部１２０は、光源部１７が発する白色光を、色分解光学系により複数の色光に分解し、分解した複数の色光を複数の液晶パネルに入射する。パネル部１２０は、制御部１６から入力される制御信号に基づいて、液晶パネルの画素ごとに入射した色光を画像光に変調する。なお、パネル部１２０は、液晶パネルに代えて、デジタルミラーデバイス（Digital Mirror Device）など他の表示素子であってもよい。
【００２５】
光源部１７は、投影部１２を照射する光を出力する発光手段として機能する。光源部１７は、例えば超高圧水銀ランプ、キセノンランプである。光源部１７は、他の放電発光ランプであってもよい。また、光源部１７は、発光ダイオード（ＬＥＤ）やレーザダイオード（ＬＤ）などの半導体を利用した光源（固体光源）であってもよい。
【００２６】
モータドライバ１３は、制御信号に基づいて、シフトモータ１２１と、フォーカスモータ１２２と、ズームモータ１２３とを駆動させるデバイスである。
方位センサ１４は、投影装置１が画像を投影する方位を検出するセンサである。方位センサ１４は、検出した方位を示す情報を制御部１６に出力する。
【００２７】
記憶部１５は、ＲＯＭ及びＲＡＭ等を含む記憶媒体である。記憶部１５は、制御部１６が実行するプログラムを記憶する。記憶部１５は、投影装置１の設定用データを記憶する。図３は、投影装置１の記憶部１５に記憶されるデータの一例を示す図である。図３に示す例において、記憶部１５は、Ｎｏ．０１からＮｏ．１４まで、及びＮｏ．２１からＮｏ．２７までの２１項目のデータを記憶する。また、Ｎｏ．２１からＮｏ．２７までの７項目のデータは、必要に応じて更新される。以下、記憶部１５に記憶されるデータについて、変数名の順に説明する。
【００２８】
［投影装置１の記憶部１５に記憶されるデータの例］
Ｐ０１は、投影装置１のメーカー名を示すデータである。Ｐ０２は、投影装置１のモデル名を示すデータである。Ｐ０３は、投影装置１のシリアル番号を示すデータである。Ｐ０４は、投影装置１のＭＡＣアドレスを示すデータである。Ｐ０５からＰ１２は、投影装置１の特性を示すデータである。
【００２９】
Ｐ０５は、投影装置１のフォーカスのＯＦＦＳＥＴデータ（ＦＰｏ）及び感度データ（Ｆｓｏ）である。Ｐ０６は、投影装置１のズームのＯＦＦＳＥＴデータ（Ｚｓｏ）及び感度データ（ＺＰｏ）である。Ｐ０７は、投影装置１の垂直方向シフトのＯＦＦＳＥＴデータ（ＹＰｏ）及び感度データ（ＹＰ）である。Ｐ０８は、投影装置１の水平方向シフトのＯＦＦＳＥＴデータ（ＸＰｏ）及び感度データ（Ｘｓｏ）である。
【００３０】
Ｐ０９は、設置された投影装置１に固有のフォーカスに関するＯＦＦＳＥＴの誤差データ（ＦＰ）及び感度の誤差データ（ＦＳ）である。Ｐ１０は、設置された投影装置１に固有のズームに関するＯＦＦＳＥＴの誤差データ（ＺＰ）及び感度の誤差データ（ＺＳ）である。Ｐ１１は、設置された投影装置１に固有の垂直方向シフトに関するＯＦＦＳＥＴの誤差データ（ＹＰ）及び感度の誤差データ（ＹＳ）である。Ｐ１２は、設置された投影装置１に固有の水平方向シフトに関するＯＦＦＳＥＴの誤差データ（ＸＰ）及び感度の誤差データ（ＸＳ）である。
【００３１】
Ｐ２１からＰ２５までは、投影装置１の調整データであり、投影条件を設定するための設定用データである。Ｐ２１は設置された投影装置１のフォーカス調整データ（Ｆ）である。Ｐ２２は設置された投影装置１のズーム調整データ（Ｚ）である。Ｐ２３は、設置された投影装置１の垂直方向のシフト調整データ（Ｙ）である。Ｐ２４は、設置された投影装置１の水平垂直方向のシフト調整データ（Ｘ）である。Ｐ２５は、方位センサの検出データ（Ａ）である。Ｐ２６は、投影装置１が設置された位置を示すロケーションデータ（ＡＤ）である。Ｐ２７は、投影条件を設定したことを示す調整履歴データ（ＡＪ）である。
【００３２】
制御部１６は、例えばＣＰＵである。制御部１６は、記憶部１５に記憶されたプログラムを実行することにより、取得部１６１、位置特定部１６２、及び設定部１６３として機能する。
【００３３】
取得部１６１は、同一の設置位置に過去に設置されていた他の投影装置に設定されていた投影条件の設定データを投影管理装置２から取得する。設定データは、具体的には、他の投影装置に設定されていた投影条件を示す調整データ（図３に示したＰ２１からＰ２４までの調整データ）である。ここで、投影管理装置２の記憶部２２に記憶されるデータについて説明する。図４は、投影管理装置２の記憶部２２に記憶されるデータの一例を示す図である。以下、記憶部２２に記憶されるデータについて、変数名の順に説明する。
【００３４】
［投影管理装置２の記憶部２２が記憶するデータの例］
Ｐｏｒｔ０１からＰｏｒｔ０４までは、投影装置１が設置される場所を示すロケーション情報を示すデータである。Ｐｏｒｔ０１は、投影装置１が接続されるネットワークポート番号を示すデータである。Ｐｏｒｔ０２は、投影装置１が設置される会議室名を示すデータである。Ｐｏｒｔ０３は、投影装置１が画像を投影するスクリーン番号を示すデータである。Ｐｏｒｔ０４は、設置された投影装置１に設定されるネットワークアドレス番号を示すロケーションデータである。
【００３５】
Ｐｏｒｔ０５からＰｏｒｔ０９までは、接続された投影装置１の調整作業が完了した時点での設定データに基づいて生成されるセッティングデータである。セッティングデータは、投影装置が設置された場所における投影環境を示す投影環境データである。また、セッティングデータは、新たに設置されてネットワークに接続された投影装置１の初期設定値を算出するためのデータとして用いられる。
【００３６】
Ｐｏｒｔ０５は、投影装置１が設置された設置位置から被投影面であるスクリーンＡまでの距離を示す距離データである。Ｐｏｒｔ０６は、投影装置１の設置基準点に対する投写基準点を縦方向に移動させたシフト量を示すデータである。Ｐｏｒｔ０７は、投影装置１の設置基準点に対する投写基準点を横方向に移動させたシフト量を示すデータである。Ｐｏｒｔ０８は、投射するエリアの縦方向の大きさを示すデータである。Ｐｏｒｔ０９は、投射するエリアの横方向の大きさを示すデータである。
【００３７】
Ｐｏｒｔ１０からＰｏｒｔ１３までは、接続されている投影装置１のプロジェクタ情報を示すデータである。Ｐｏｒｔ１０は、投影装置１のメーカー名を示すデータである。Ｐｏｒｔ１１は、投影装置１のモデル名を示すデータである。Ｐｏｒｔ１２は、投影装置１のシリアル番号を示すデータである。Ｐｏｒｔ１３は、投影装置１のＭＡＣアドレスを示すデータである。なお、詳細な説明は省略するが、プロジェクタ情報を用いて接続されている投影装置が変更されたか否かを判定することができる。投影管理装置２は、接続されている投影装置が変更された場合、変更された投影装置を調整する処理を実行することができる。
【００３８】
Ｐｏｒｔ１４からＰｏｒｔ２１までは、投影装置の特性を示す特性情報データである。Ｐｏｒｔ１４は、投影装置１のフォーカスのＯＦＦＳＥＴデータ（ＦＰｏ）及び感度データ（Ｆｓｏ）である。Ｐｏｒｔ１５は、投影装置１のズームのＯＦＦＳＥＴデータ（Ｚｓｏ）及び感度データ（ＺＰｏ）である。Ｐｏｒｔ１６は、投影装置１の垂直方向シフトのＯＦＦＳＥＴデータ（ＹＰｏ）及び感度データ（ＹＰ）である。Ｐｏｒｔ１７は、投影装置１の水平方向シフトのＯＦＦＳＥＴデータ（ＸＰｏ）及び感度データ（Ｘｓｏ）である。
【００３９】
Ｐｏｒｔ１８は、設置された投影装置１に固有のフォーカスに関するＯＦＦＳＥＴの誤差データ（ＦＰ）及び感度の誤差データ（ＦＳ）である。Ｐｏｒｔ１９は、設置された投影装置１に固有のズームに関するＯＦＦＳＥＴの誤差データ（ＺＰ）及び感度の誤差データ（ＺＳ）である。Ｐｏｒｔ２０は、設置された投影装置１に固有の垂直方向シフトに関するＯＦＦＳＥＴの誤差データ（ＹＰ）及び感度の誤差データ（ＹＳ）である。Ｐｏｒｔ２１は、設置された投影装置１に固有の水平方向シフトに関するＯＦＦＳＥＴの誤差データ（ＸＰ）及び感度の誤差データ（ＸＳ）である。
【００４０】
Ｐｏｒｔ２２は、投影装置１の望遠端での投写距離と投射画像の横幅との比であるスローレシオ値を示すデータである。Ｐｏｒｔ２３は、パネルの横幅に対する縦の幅の比を示すデータである。
【００４１】
Ｐｏｒｔ３１からＰｏｒｔ３５までは、投影装置１の投影条件を示す調整データである。Ｐｏｒｔ３１は、設置された投影装置１のフォーカス調整データである。Ｐｏｒｔ３２は設置された投影装置１のズーム調整データである。Ｐｏｒｔ３３は設置された投影装置１の垂直方向のシフト調整データである。Ｐｏｒｔ３４は設置された投影装置１の水平垂直方向のシフト調整データである。Ｐｏｒｔ３５は投影装置１に内蔵された方位センサ１４の検出データである。なお、Ｐｏｒｔ５以降のデータは、必要に応じて更新される。また、プログラムにおいては、変数名Ｐｏｒｔ０１−Ｐｏｒｔ３５が用いられる。
【００４２】
位置特定部１６２は、投影装置１が設置された設置位置を特定する。例えば、位置特定部１６２は、通信部１１を介して接続されている投影管理装置２から、通信部１１が接続されている設置位置を示す位置情報を取得する。具体的には、位置特定部１６２は、通信部１１から接続されているポート番号を投影管理装置２に問い合わせて、ロケーションデータ（図４のＰｏｒｔ０４）を取得する。なお、位置特定部１６２は、投影装置１を設置するユーザが投影装置１の操作部に入力した入力値に基づいて投影装置１が設置された位置を特定してもよい。また、位置特定部１６２は、方位センサ１４が検出した方位を示す情報を取得して、投影装置１が画像を投影する方位を特定する。
【００４３】
設定部１６３は、投影装置１の投影条件を設定する。例えば、設定部１６３は、投影管理装置２から取得した他の投影装置の設定データに基づいて自装置の投影条件を設定する。具体的には、設定部１６３は、設定データに他の投影装置を識別するための装置識別情報が含まれる場合、設定データに含まれる装置識別情報に基づいて他の投影装置の特性を特定する。装置識別情報は、例えば、Ｐ０１のメーカー名、Ｐ０２のモデル名である。そして、設定部１６３は、設定データに含まれている装置識別情報により特定した他の投影装置の特性と自装置の特性との差分に基づいて投影装置１の投影条件を設定する設定用データを生成する。設定部１６３が生成する設定用データは、例えば図３の調整データであり、具体的には、図３のＰ２１からＰ２４までのデータである。
【００４４】
また、設定部１６３は、設定データに含まれる他の投影装置における設定値に基づいて設定用データを生成してもよい。具体的には、設定部１６３は、他の投影装置の特性と自装置の特性との差分に基づいて、設定データに含まれている他の投影装置における第１設定値を自装置に適用できる第２設定値に変換する。そして、設定部１６３は、第１設定値と異なる第２設定値を含む設定用データを生成する。
【００４５】
［セッティングデータの生成方法］
ここで、設定部１６３が過去に設置されていた投影装置の設定データを用いて投影装置１に設定する設定用データを生成する方法を具体的に説明する。まず、設定部１６３は、過去に設置されていた投影装置の設定データを用いて、投影装置１が設置された位置におけるセッティングデータ（図４におけるＰｏｒｔ０５からＰｏｒｔ０９までに対応するデータ）を生成する。
【００４６】
設定部１６３は、投影装置１の標準的な最短焦点距離を示す距離データ（ＦＰｏ）と、当該投影装置１の最短焦点距離からのばらつきを示すばらつき距離データ（ＦＰ）とに基づいて、投影装置１に固有の最短焦点距離を算出する。設定部１６３は、標準フォーカス感度データ（Ｆｓｏ）、標準フォーカス感度値からの個別ばらつきデータ（ＦＳ）及びフォーカス調整データ（Ｆ）を用いて、フォーカス調整により、焦点が移動した距離を算出する。設定部１６３は、投影装置１に固有の最短焦点距離と、焦点が移動した距離とに基づいて、投影装置１が設置された設置位置からスクリーンＡまでの距離（Ｐｏｒｔ０５）を算出する。
【００４７】
また、設定部１６３は、設置位置からスクリーンＡまでの距離（Ｐｏｒｔ０５）を算出する方法と同様の方法を用いて、設置位置からの縦方向のシフト量（Ｐｏｒｔ０６）、設置位置からの横方向のシフト量（Ｐｏｒｔ０７）、投写エリアの縦方向の大きさ（Ｐｏｒｔ０８）、及び投写エリアの横方向の大きさ（Ｐｏｒｔ０９）を算出する。具体的には、投影管理装置２は、以下に示す式を用いて、セッティングデータを生成する。
【００４８】
設置位置からの距離（Ｐｏｒｔ０５）＝（Ｆｓｏ＋ＦＳ）＊Ｆ＋（ＦＰｏ＋ＦＰ）
設置位置からの縦方向のシフト量（Ｐｏｒｔ０６）＝（Ｙｓｏ＋ＹＳ）＊Ｙ＋（ＹＰｏ＋ＹＰ）
設置位置からの横方向のシフト量（Ｐｏｒｔ０７）＝（Ｘｓｏ＋ＸＳ）＊Ｘ＋（ＸＰｏ＋ＸＰ）
【００４９】
投射エリアの横方向の大きさ（Ｐｏｒｔ０９）は、投影装置１のズームに関する標準データ（ＦＰｏ及びＺｓｏ）と、固有データ（ＺＰ及びＺＳ）と、設置位置からスクリーンＡまでの距離（Ｐｏｒｔ０５）と、レンズの投写比であるスローレシオ（ＴＲ）とを用いて、下記の式により算出される。
投写エリアの横方向の大きさ（Ｐｏｒｔ０９）＝Ｐｏｒｔ０５＊｛（Ｚｓｏ＋ＺＳ）＊Ｚ＋（ＺＰｏ＋ＺＰ）｝＊ＴＲ
【００５０】
投写エリアの縦方向の大きさは、上記で算出された投写エリアの横方向の大きさ（Ｐｏｒｔ０９）にパネルの縦横比を乗算することにより算出される。
投写エリアの縦方向の大きさ（Ｐｏｒｔ０８）＝（Ｐｏｒｔ０９）＊ＰＦ
【００５１】
以上の計算により、投影装置１が設置された位置におけるセッティングデータが生成される。図５は、設定データとセッティングデータとの関係を説明するための図である。投影装置１が設置された設置位置からスクリーンＡまでの距離（Ｐｏｒｔ０５）を算出する方法を例に挙げて説明する。図５において、標準データのＯＦＦＳＥＴは、投影装置１の標準的なフォーカスのＯＦＦＳＥＴ（ＦＰｏ）を示す。固有データのＯＦＦＳＥＴは、投影装置１に固有のフォーカスのＯＦＦＳＥＴ（ＦＰ）を示す。標準の感度データは、投影装置１の標準的なフォーカスの感度（Ｆｓｏ）を示す。固有の感度データは、投影装置１に固有のフォーカスの感度（ＦＳ）を示す。
【００５２】
すなわち、設置位置からの距離は、標準データのＯＦＦＳＥＴと固有データのＯＦＦＳＥＴとの和が切片に対応し、標準の感度データと固有の感度データとの和が傾きに対応する、調整値を従属変数とする１次関数で表される。調整値は、調整データのＰｏｒｔ３１からＰｏｒｔ３４に記憶された値である。このように、設定部１６３は、過去に設置されていた投影装置の設定データに基づいてセッティングデータを生成する。このようにすることで、設定部１６３は、投影装置１が設置された状況に対応するセッティングデータを生成することができる。
【００５３】
［設定用データの生成方法］
続いて、設定部１６３は、生成したセッティングデータに基づいて設定用データを生成する。具体的には、設定部１６３は、設置位置からの距離（Ｐｏｒｔ０５）に基づいてフォーカス調整データ（Ｆ）を生成する。同様に、設定部１６３は、設置位置からの縦方向のシフト量（Ｐｏｒｔ０６）に基づいて垂直方向のシフトデータ（Ｙ）を生成する。設定部１６３は、設置位置からの横方向のシフト量（Ｐｏｒｔ０７）に基づいて水平方向のシフトデータ（Ｘ）を生成する。設置位置からの距離（Ｐｏｒｔ０５）、及び投射エリアの横方向の大きさ（Ｐｏｒｔ０９）に基づいてズーム調整値（Ｚ）を算出する。
【００５４】
より具体的には、設定部１６３は、以下に示す式を用いて、投影装置１の調整データである設定用データを生成する。
Ｆ＝｛（Ｐｏｒｔ０５）−（Ｆｐｏ＋ＦＰ）｝／（Ｆｓｏ＋ＦＳ）
Ｙ＝｛（Ｐｏｒｔ０６）−（Ｙｐｏ＋ＹＰ）｝／（Ｙｓｏ＋ＹＳ）
Ｘ＝｛（Ｐｏｒｔ０７）−（Ｘｐｏ＋ＸＰ）｝／（Ｘｓｏ＋ＸＳ）
Ｚ＝［｛（Ｐｏｒｔ０９）／（Ｐｏｒｔ０５）＊ＴＲ｝−（Ｚｐｏ＋ＺＰ）］／（Ｚｓｏ＋ＺＳ）
【００５５】
例えば、Ｐｏｒｔ０５が２５００、ＦＰｏが２０００、ＦＰが１０、Ｆｓｏが１０、Ｆｓが１である場合、Ｆは４１０である。この場合、設定部１６３は、Ｆが４１０である設定用データを生成する。また、設定部１６３は、記憶部１５のＰ２１にＦの値として４１０を記憶させる。
【００５６】
設定部１６３は、例えば、投影装置１が設置された位置からスクリーンＡまでの距離に基づいて設定用データを生成する。設定部１６３は、設定データに設置位置からスクリーンＡまでの距離を示す距離データが含まれる場合、距離データに基づいて、投影装置１のフォーカスを調整するための設定用データを生成する。距離データは、図４の設置位置からの距離（Ｐｏｒｔ０５）である。設定部１６３は、ユーザが投影装置１に入力した距離データに基づいて設定用データを生成してもよい。
【００５７】
設定部１６３は、生成した設定用データに基づいて投影条件を投影装置１に設定した場合、投影装置１の投影条件を設定したことを示す設定済情報を記憶部１５に記憶させる。設定部１６３は、投影条件を設定する前に、投影条件を設定したことを示す設定済情報が記憶部１５に記憶されているか否かを判定してもよい。設定部１６３は、記憶部１５に設定済情報が記憶されていない場合に投影装置１の投影条件を設定し、記憶部１５に設定済み情報が記憶されている場合に投影装置１の投影条件を設定しない。このようにすることで、設定部１６３は、投影装置１が調整済であるにもかかわらず再調整が行われることを防止できる。
【００５８】
なお、設定部１６３は、記憶部１５に投影装置１の設定済情報が記憶されている場合に投影条件を設定する指示が入力された場合、投影条件を更新するか否かを確認するための画面を表示部に表示させてもよい。また、設定部１６３は、投影部１２を制御して投影条件を更新するか否かを確認するための画面をスクリーンＡに投影させてもよい。このようにすることで、投影装置１は、記憶部１５に設定済情報が記憶されている場合であっても、ユーザが再設定を希望する場合に投影条件を更新することができる。
【００５９】
［投影装置１の処理のフローチャート］
以下、図６を参照しながら投影装置１が実行する処理の流れを説明する。図６は、投影装置１が実行する処理のフローチャートである。図６のフローチャートは、投影装置１に電力が供給されると、制御部１６が実行を開始する。
【００６０】
投影装置１に電力が供給されると、制御部１６は、ステップＳ１において、制御部１６自身及び周辺回路のイニシャライズを行う。ステップＳ２において、制御部１６の位置特定部１６２は、ネットワーク（ＮＷ）への接続確認及び、投影装置１が設置された位置（以下ロケーションという）を確認する。位置特定部１６２は、ネットワークへの接続確認ができない場合、タイムアウトしてステップＳ９に移行する。位置特定部１６２は、ネットワークへの接続確認ができると、通信部１１から接続されているポート番号を投影管理装置２に問い合わせてロケーションデータを取得することによりロケーションを確認する。制御部１６は、ロケーションデータを取得してロケーションを確認するとステップＳ３に移行する。
【００６１】
ステップＳ３において、制御部１６の設定部１６３は、記憶部１５に投影条件を設定したことを示す設定済情報が記憶されているか否かを判定する。設定部１６３は、設定済情報が記憶されていない場合（ステップＳ３でＮｏ）、ステップＳ６に移行する。設定部１６３は、設定済情報が記憶されている場合（ステップＳ３でＹｅｓ）、ステップＳ４に移行する。ステップＳ４において、設定部１６３は、ステップＳ３で取得したロケーションデータと、記憶部１５に記憶されたロケーションデータとが同一であるか否かを判定する。設定部１６３は、取得したロケーションデータと記憶されたロケーションデータとが同一であると判定すると（ステップＳ４でＹｅｓ）、ステップＳ５に移行する。
【００６２】
ステップＳ５において、設定部１６３は、位置特定部１６２が特定した投影装置１が画像を投影する第１方位と、記憶部１５に記憶された方位センサの検出データ（Ａ）に示される第２方位とが同一であるか否かを判定する。設定部１６３は、第１方位と第２方位とが同一でないと判定した場合、投影装置１の設置状態が変化したと判定する。なお、設定部１６３は、位置特定部１６２が特定した第１方位と、記憶された第２方位との差が所定の許容値以下であれば、特定した方位と記憶された方位とが同一であると判定してもよい。
【００６３】
設定部１６３は、取得したロケーションデータと記憶されたロケーションデータとが同一であると判定し（ステップＳ４でＹｅｓ）、かつ特定した第１方位と記憶された第２方位とが同一であると判定した場合（ステップＳ５でＹｅｓ）、ステップＳ９に移行する。設定部１６３は、取得したロケーションデータと記憶されたロケーションデータとが同一ではないと判定した場合（ステップＳ４でＮｏ）、又は特定した第１方位と記憶された第２方位とが同一ではないと判定した場合（ステップＳ５でＮｏ）、ロケーションが異なると判定する。設定部１６３は、ロケーションが異なると判定すると、ステップＳ６に移行する。
【００６４】
ステップＳ６において、設定部１６３は、投影管理装置２に、過去に同一のロケーションに設置されていた他の投影装置の設定データを要求する。ステップＳ７において、設定部１６３は、投影管理装置２から設定データを取得したか否かを判定する。設定部１６３は、投影管理装置２から設定データを取得していないと判定すると（ステップＳ７でＮｏ）、設定データを取得するまで待機する。このとき、割り込み処理が要求された場合、制御部１６は、割り込み処理を行い、処理を完了するとステップＳ７に戻る。なお、投影管理装置２は、投影装置１から設定データの要求を受信すると、記憶部２２に記憶された情報を送信する。
【００６５】
設定部１６３は、投影管理装置２から設定データを取得したと判定すると（ステップＳ７でＹｅｓ）、ステップＳ８に移行する。ステップＳ８において、設定部１６３は、取得した設定データに基づいて、投影装置１の投影条件を設定するための設定用データを生成する。設定部１６３は、設定用データを生成すると、生成した設定用データを記憶部１５に記憶させ、ステップＳ９に移行する。
【００６６】
ステップＳ９において、制御部１６は、投影装置１の内部回路の電力供給を停止するスタンバイ状態に移行する。ステップＳ１０において、制御部１６は、電源スイッチが押されたか否かを判定する。制御部１６は、電源スイッチが押されていないと判定すると（ステップＳ１０でＮｏ）、電源スイッチが押されたと判定するまで待機する。制御部１６は、電源スイッチが押されたと判定すると（ステップＳ１０でＹｅｓ）、ステップＳ１１に移行する。
【００６７】
ステップＳ１１において、制御部１６は、投影装置１のイニシャライズを行う。具体的には、制御部１６は、記憶部１５に記憶された設定用データを参照し、投影条件をモータドライバ１３に設定する。モータドライバ１３は、投影条件に基づいて、シフトモータ１２１、フォーカスモータ１２２、及びズームモータ１２３を駆動する。
【００６８】
（変形例１）
以上の説明においては、会議室Ｒに設置される投影装置が過去に設置されていた投影装置と同一の種類の投影装置である場合を例示したが、これに限らず、設定データを生成する投影装置と、設定データを用いて調整データを生成する投影装置とが異なっていてもよい。
【００６９】
（変形例２）
以上の説明において、投影装置１は、位置特定部１６２が特定した方位と、記憶部１５に記憶された方位とが異なる場合、投影装置１の状態が変化したと判定した。しかし、これに限らず、投影装置１は、方位センサ１４に替えて投影装置に備えられることが多い加速度センサを用いて、投影装置１の設置状態が変化したことを検出してもよい。具体的には、投影装置１は、位置特定部１６２が特定した加速度センサの値により特定される方位と、記憶部１５に記憶された方位とが異なる場合、投影装置１の状態が変化したことを検出してもよい。
【００７０】
［第１の実施形態に係る投影装置１の効果］
以上説明したように、新たに設置された投影装置１は、過去に設置されていた他の投影装置の投影条件を示す設定データを取得する。投影装置１は、取得した設定データに基づいて、投影装置１の投影条件を設定するための設定用データを生成する。このように、投影装置１は、他の投影装置の設定データを基準として自装置の設定用データを生成する。そのため、投影装置１は、投影装置１を設置するユーザが手作業で投影装置１の調整作業を行う場合に比べて、調整作業に要する時間を短縮できる。
【００７１】
＜第２の実施形態＞
第１の実施形態に係る投影システムＳにおいては、投影装置１が投影管理装置２から設定データを取得し、投影装置１が投影条件を設定した。第２の実施形態に係る投影システムＳに係る投影管理装置２は、新たに投影装置が設置された場合、過去に設置されていた投影装置の設定データに基づいて、新たに設置された投影装置１の投影条件を設定するための設定用データを生成する。以下、図７を参照しながら、投影管理装置２の機能構成について、第１の実施形態と異なる点について説明し、同様の点については適宜省略する。図７は、第２の実施形態に係る投影管理装置２の機能構成を示す図である。
【００７２】
［投影管理装置２の機能構成］
第２の実施形態に係る投影管理装置２の記憶部２２は、投影装置の設置位置に関連付けて、設置位置に過去に設置されていた投影装置（以下、過去投影装置という場合がある）に設定されていた設定データを記憶する。なお、記憶部２２は、過去投影装置の特性、及び新たに設置された投影装置１の特性を示す特性情報を記憶してもよい。
【００７３】
制御部２３は、例えばＣＰＵである。制御部２３は、記憶部２２に記憶されたプログラムを実行することにより、情報取得部２３１、生成部２３２、及び送信部２３３として機能する。
【００７４】
情報取得部２３１は、新たに設置された投影装置１の設置位置を示す位置情報を取得する。例えば、情報取得部２３１は、投影装置１の位置特定部１６２が特定した設置位置を示す位置情報を投影装置１から取得する。また、情報取得部２３１は、図３に示した標準データ（Ｐ０５からＰ０８まで）、固有データ（Ｐ０９からＰ１２まで）、及び調整データ（Ｐ２１からＰ２４まで）を投影装置１から取得する。
【００７５】
生成部２３２は、過去投影装置の設定データに基づいて、新たに設置された投影装置１の設定用データを生成する。例えば、生成部２３２は、情報取得部２３１が取得した位置情報が示す設置位置に関連付けて記憶部２２に記憶された過去投影装置の設定データに基づいて、新たに設置された投影装置１の投影条件を設定するための設定用データを生成する。
【００７６】
また、生成部２３２は、過去投影装置の特性と新たに設置された投影装置１の特性との差分に基づいて設定用データを生成してもよい。例えば、生成部２３２は、記憶部２２に記憶された特性情報が示す過去投影装置の特性と投影装置１の特性との差分に基づいて、投影装置１に適用できるように設定データを変換することにより設定用データを生成する。具体的には、生成部２３２は、設定データに含まれている過去投影装置における第１設定値を、過去投影装置の特性と投影装置１の特性との差分に基づいて変換することにより、第１設定値と異なる第２設定値を含む設定用データを生成する。より具体的には、生成部２３２は、記憶部２２に記憶された過去投影装置が設置された設置位置からスクリーンＡまでの距離を示す距離データに基づいて、フォーカスを調整するための設定用データを生成する。
【００７７】
なお、生成部２３２が設定用データを生成する方法は、第１の実施形態に係る投影装置１の設定部１６３が設定用データを生成する方法と同様なので、説明を省略する。また、生成部２３２がセッティングデータを生成する方法は、第１の実施形態に係る投影装置１の設定部１６３がセッティングデータを生成する方法と同様なので、説明を省略する。
【００７８】
送信部２３３は、生成部２３２が生成した設定用データを投影装置１に送信する。また、送信部２３３は、設定用データを第２投影装置に送信した場合に、設定用データを送信したことを示す設定済情報を記憶部２２に記憶させる。送信部２３３は、設定用データを送信する場合、記憶部２２に設定済情報が記憶されているか否かを判定してもよい。送信部２３３は、記憶部２２に設定済情報が記憶されていないと判定した場合、投影装置１に設定用データを送信する。送信部２３３は、記憶部２２に設定済情報が記憶されていると判定した場合、設定用データを送信しない。
【００７９】
なお、送信部２３３は、記憶部２２に設定済情報が記憶されている場合に、設定用データを送信する指示を取得した場合、投影条件を更新するか否かを確認するための画面を表送信してもよい。
【００８０】
［第２の実施形態に係る投影装置１の機能構成］
以下、第２の実施形態に係る投影装置１の機能構成について、第１の実施形態と異なる点について説明し、同様の点については適宜省略する。
【００８１】
取得部１６１は、投影管理装置２から送信された投影装置１の設置位置に過去に設置されていた他の投影装置に設定されていた投影条件の設定データに基づいて生成された設定用データを取得する。また、取得部１６１は、投影装置１が設置された位置を示す位置情報を送信した後に設定用データを取得してもよい。具体的には、まず、設定部１６３は、位置特定部１６２が特定した設置位置を示す位置情報を投影管理装置２に送信する送信手段として機能する。取得部１６１は、設定部１６３が位置情報を投影管理装置２に送信した後に設定用データを取得する。そして、設定部１６３は、取得部１６１が投影管理装置２から取得した設定用データに基づいて投影装置１の投影条件を設定する。
【００８２】
［投影管理装置２が実行する処理］
以下、投影管理装置２が実行する処理の流れについて説明する。図８は、投影管理装置２が実行する処理のフローチャートである。図８のフローチャートは、投影管理装置２に電力が供給されると、制御部２３が実行する。
【００８３】
まず、ステップＳ２１において、制御部２３は、投影管理装置２のイニシャライズを行い、イニシャライズが完了するとステップＳ２２に移行する。ステップＳ２２において、制御部２３は、投影装置１からアクセスが有るか否かを判定する。制御部２３は、投影装置１からアクセスがないと判定すると（ステップＳ２２でＮｏ）、投影装置１からアクセスがあるまで待機する。制御部２３は、投影装置１からデータの要求があるとアクセスがあったと判定して（ステップＳ２２でＹｅｓ）、ステップＳ２３に移行する。
【００８４】
ステップＳ２３において、制御部２３は、アクセスの要求内容を確認する。制御部２３は、要求内容がロケーションデータの値が００１である投影装置１からの設定用データの要求である場合、ステップＳ２４に移行する。ステップＳ２４において、制御部２３は、設定用データの生成に必要なデータを投影装置１に要求する。ステップＳ２５において、制御部２３は、生成に必要なデータを取得したか否かを判定する。制御部２３は、生成に必要なデータを取得していないと判定すると（ステップＳ２５でＮｏ）、生成に必要なデータを取得するまで待機する。制御部２３は、生成に必要なデータを取得したと判定すると（ステップＳ２５でＹｅｓ）、ステップＳ２６に移行する。
【００８５】
ステップＳ２６において、制御部２３は、投影装置１の設定用データを生成する。ステップＳ２７において、制御部２３は、生成した設定用データを記憶部２２に記憶させる。ステップＳ２８において、制御部２３は、生成した設定用データを、設定用データを要求した投影装置１に送信する。
【００８６】
ステップＳ２９において、制御部２３は、送信が完了したか否かを判定する。具体的には、制御部２３は、投影装置１からＡｃｋ応答を受信したか否かを判定する。制御部２３は、投影装置１からＡｃｋ応答を受信していない場合（ステップＳ２９でＮｏ）、Ａｃｋ応答を受信するまで待機する。制御部２３は、Ａｃｋ応答を受信した場合（ステップＳ２９でＹｅｓ）、Ｓ２２に戻り、投影装置１からのアクセスを待つ状態に移行する。
【００８７】
（変形例）
以上の説明においては、記憶部２２は、投影装置１に関するデータ（図４におけるＰｏｒｔ１０からＰｏｒｔ３５までのデータ）と、セッティングデータ（図４におけるＰｏｒｔ０５からＰｏｒｔ０９までのデータ）とをグループとして記憶した。しかし、これに限らず記憶部２２は、セッティングデータのみを記憶してもよく、セッティングデータと投影装置１に関連するデータとを別々に管理してもよい。このような場合でも、投影管理装置２は、投影装置１の設定用データを生成することができる。
【００８８】
［第２の実施形態に係る投影管理装置２の効果］
以上説明したように、第２の実施形態に係る投影管理装置２は、過去に設置されていた過去投影装置の設定データに基づいて、新たに設置された投影装置１の投影条件を設定するための設定用データを生成する。このようにすることで、投影管理装置２は、新たに設置された投影装置１が、過去に設置されていた過去投影装置の設定データに基づいて設定用データを生成する機能を有していない場合であっても、ユーザが設置後の調整作業に要する時間を短縮できる。
【００８９】
＜第３の実施形態＞
第１及び第２の実施形態においては、投影装置１又は投影管理装置２が投影条件を設定するための設定用データを生成したが、投影装置１を使用するユーザが投影装置１の投影条件を設定する場合がある。第３の実施形態においては、ユーザが投影装置１の投影条件を設定する場合の処理について説明する。図９は、手動調整時におけるデータ更新処理のフローチャートである。図９のフローチャートは、投影装置１が動作状態である場合に、制御部１６が実行する。
【００９０】
まず、ステップＳ４１において、制御部１６は、ユーザからコマンド入力があるか否かを判定する。制御部１６は、ユーザからコマンド入力がない場合（ステップＳ４１でＮｏ）、コマンド入力があるまで待機する。制御部１６は、ユーザからコマンド入力があると（ステップＳ４１でＹｅｓ）、ステップＳ４２に移行する。
【００９１】
ステップＳ４２において、制御部１６は、入力されたコマンドが、投影装置１の投影条件を調整するメニューを表示させるコマンドか否かを判定する。制御部１６は、入力されたコマンドが投影条件を調整するメニューを表示させるコマンドでない場合（ステップＳ４２でＮｏ）、ステップＳ４３において、入力されたコマンドに対応する他の処理を実行する。
【００９２】
制御部１６は、入力されたコマンドが投影条件を調整するメニューを表示させるコマンドである場合（ステップＳ４２でＹｅｓ）、ステップＳ４４において、調整メニューを表示し、入力待ちの状態に移行する。ステップＳ４５において、制御部１６は、コマンド入力があるか否かを判定する。制御部１６は、ユーザからコマンド入力がない場合（ステップＳ４５でＮｏ）、コマンド入力があるまで待機する。
【００９３】
制御部１６は、ユーザからコマンド入力があると（ステップＳ４５でＹｅｓ）、ステップＳ４６において入力されたコマンドがメニュー画面を操作するコマンドか否かを判定する。制御部１６は、入力されたコマンドがメニュー画面を操作するコマンドである場合（ステップＳ４６でＹｅｓ）、ステップＳ４７において入力されたコマンドに応じて調整データを変更する。続いて、ステップＳ４８において、制御部１６は、設定データ及びメニュー表示を変更し、ステップＳ４５に戻る。
【００９４】
例えば、制御部１６は、フォーカス位置を変更する変更指示が入力された場合、変更後の設定データを記憶部１５に記憶させる。また、制御部１６は、モータドライバ１３に設定データを設定する。モータドライバ１３は、設定された設定データに基づいて、フォーカスモータ１２２を駆動させる。このようにすることで、投影装置１は、投影する画像のフォーカス位置を変更する。ユーザは、投影された画像を確認しながら上記の操作を繰り返し、投影装置１の調整作業を行う。
【００９５】
ステップＳ４６に戻って説明を続ける。ステップＳ４６において、制御部１６は、入力されたコマンドがメニュー画面を操作するコマンドではない場合（ステップＳ４６でＮｏ）、ステップＳ４９に移行する。ステップＳ４９において、制御部１６は、入力されたコマンドがメニュー操作を完了する完了コマンドか否かを判定する。
【００９６】
制御部１６は、入力されたコマンドが完了コマンドではない場合（ステップＳ４９でＮｏ）、ステップＳ４１に移行する。なお、ステップＳ４１に移行する場合、ユーザの操作により投影装置１の設定データは変更されるが、変更された設定データは記憶されず、調整データには反映されない。そのため、投影装置１が動作を停止して再び動作を開始した場合、レンズ等は、記憶部１５に記憶された調整データに示される値に調整される。
【００９７】
制御部１６は、入力されたコマンドが完了コマンドである場合（ステップＳ４９でＹｅｓ）、ステップＳ５０に移行する。ステップＳ５０において、制御部１６は、変更した調整データを記憶部１５に記憶させるか否かを選択するための選択メニューを表示させ、ステップＳ５１に移行する。
【００９８】
ステップＳ５１において、制御部１６は、コマンドが入力されるまで待機する。制御部１６は、コマンドが入力されると（ステップＳ５１でＹｅｓ）、ステップＳ５２に移行する。ステップＳ５２において、制御部１６は、入力されたコマンドが設定データを記憶するコマンドか否かを判定する。制御部１６は、入力されたコマンドが設定データを記憶するコマンドではない場合（ステップＳ５２でＮｏ）、ステップＳ４１に移行する。
【００９９】
制御部１６は、入力されたコマンドが設定データを記憶するコマンドである場合（ステップＳ５２でＹｅｓ）、ステップＳ５３に移行する。ステップＳ５３において、制御部１６は、設定データを設定用データとして記憶部１５に記憶させる。そして、ステップＳ５４において、制御部１６は、設定用データを投影管理装置２に送信する。
【０１００】
［第３の実施形態に係る投影装置１の効果］
以上説明したように、第３の実施形態に係る投影装置１は、ユーザが入力した操作に基づいて設定データを変更する。このようにすることで、投影装置１は、記憶部１５に記憶された設定データが、実際の状況と異なっている場合であっても、ユーザの調整した設定データを保存することができる。
【０１０１】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【０１０２】
１  投影装置
２  投影管理装置
１１  通信部
１２  投影部
１５  記憶部
１６  制御部
２１  通信部
２２  記憶部
２３  制御部
１６１  取得部
１６２  位置特定部
１６３  設定部
２３１  情報取得部
２３２  生成部
２３３  送信部
【図１】
2019148652.tif 000003
【図２】
2019148652.tif 000004
【図３】
2019148652.tif 000005
【図４】
2019148652.tif 000006
【図５】
2019148652.tif 000007
【図６】
2019148652.tif 000008
【図７】
2019148652.tif 000009
【図８】
2019148652.tif 000010
【図９】
2019148652.tif 000011